(57)【要約】【課題】  遊技媒体をカップと収容箱の間で移し変える作業等の労力を軽減し、遊技性を向上させ得る遊技機を提供する。【解決手段】  コインＣを貯留するコインカップ２６と、コインカップ２６のコインＣを検知する検知センサ３１と、コインＣの増減に応じ、コインカップ２６の可動カップ２９を前後方向に伸縮させる増減機構と、増減機構を制御する副制御装置とを備える。検知センサ３１を、コインカップ２６に設置される下部センサと上部センサ３３とから構成する。また、副制御装置に、可動カップ２９の伸縮を判定する機能、可動カップ２９が伸長している場合に、コインＣを上部センサ３３が検知せずに一定時間が経過したのを条件に可動カップ２９を縮小させる機能、及び可動カップ２９が伸長している場合に、コインＣを上部センサ３３が検知して一定時間が経過したのを条件に可動カップ２９を伸長させる機能を含ませる。【選択図】  図１
2006345937.tif 000002
【特許請求の範囲】
【請求項１】
筐体の開口した正面の少なくとも下部を開閉するドアに、上部の開口したカップを設け、このカップに遊技媒体を貯留する遊技機であって、
カップに貯留される遊技媒体を検知する検知センサと、この検知センサに検知された遊技媒体の増減に応じ、カップの一部を筐体の前後方向に伸縮させてその収容容積を増減する増減機構と、この増減機構を制御する制御装置とを含み、
検知センサは、カップの下部に設置される第一の検知センサと、カップの上部に取り付けられる第二の検知センサとを含み、
制御装置は、カップの一部の伸縮状態を判定する手段と、カップの一部が伸長していると判定された場合には、遊技媒体を第二の検知センサが検知せずに一定時間が経過したことを条件に増減機構を動作させ、カップの一部を縮小させる手段と、カップの一部が伸長していないと判定された場合には、遊技媒体を第二の検知センサが検知して一定時間が経過したことを条件に増減機構を動作させ、カップの一部を伸長させる手段とを含むことを特徴とする遊技機。
【請求項２】
カップは、筐体のドアに設けられる固定カップと、この固定カップの開口した前部にスライド可能に嵌められ、増減機構の動作に基づき筐体の前後方向にスライドする可動カップとを含み、この可動カップをカップの一部とした請求項１記載の遊技機。
【請求項３】
第一、第二の検知センサのうち、少なくとも第二の検知センサを、発光部から受光部に照射される光線の変化により遊技媒体を検知する光電センサとした請求項１又は２記載の遊技機。
【請求項４】
増減機構は、筐体とドアの少なくともいずれか一方に設置される駆動源と、この駆動源の駆動に基づく歯車の回転により、筐体の前後方向に進退動する進退動体とを含み、この進退動体をカップの一部に連結した請求項１、２、又は３記載の遊技機。
【発明の詳細な説明】
【技術分野】
【０００１】
本発明は、遊技媒体の増減に応じ、カップの収容容積を増減することのできる遊技機に関するものである。
【背景技術】
【０００２】
従来、スロットマシンと呼ばれる遊技機で遊技する場合には、先ず、遊技機の筐体の前に座り、コイン投入口にコインを好ましくは３枚投入してスタートレバー装置のレバー軸を押し下げ、上部パネルに複数の図柄を３×３のマトリクスに表示した複数のリールをそれぞれ回転させる。
【０００３】
この際、コインを３枚以上投入すると、表示器がクレジットの増加を表示し、５０枚以上になると、コインカップにコインが払い出される。このコインカップは、上面の開口したトップオープンボックスタイプに形成され、筐体の開口した正面の下部を開閉するドアに強固に設置されており、払い出されたコインを貯留するよう機能する。スタートレバー装置のレバー軸が押し下げられると、制御装置に検知信号が出力され、制御装置の当選抽選手段が当たり外れを抽選するとともに、リール装置を駆動させる。
【０００４】
複数のリールをそれぞれ回転させたら、複数のストップボタンを押圧操作して複数のリールを全て停止させる。抽選の結果が当たりの場合には、「７」「７」「７」のように複数の図柄が一直線に揃い、予め定められた特定図柄の組み合わせとなる。この場合には、ビッグボーナスに当選し、小当たりとレギュラーボーナスが高確率で当選するゲームを所定回数楽しむことができるとともに、コインが図柄に応じた枚数分コインカップに払い出される（特許文献１参照）。
【特許文献１】特開２００５‐７３９１９号公報
【発明の開示】
【発明が解決しようとする課題】
【０００５】
従来における遊技機は、以上のように筐体のドアに常に一定の大きさのコインカップが単に設置されるだけなので、コインカップの大きさによっては、溢れたコインをコインカップから収容箱であるドル箱に移し変える作業、あるいはコインをドル箱からコインカップに移し変える作業に何度となく煩わされ、遊技に興じることができないという大きな問題がある。また、コインを貯留したドル箱を無造作におき、遊技者の足元が狭くなると、遊技者が心理的に圧迫され、遊技に集中することができないおそれがある。
【０００６】
本発明は上記に鑑みなされたもので、遊技媒体をカップと遊技媒体用の収容箱との間で移し変える作業等の労力を軽減し、遊技性を向上させることのできる遊技機を提供することを目的としている。
【課題を解決するための手段】
【０００７】
本発明においては上記課題を解決するため、筐体の開口した正面の少なくとも下部を開閉するドアに、上部の開口したカップを設け、このカップに遊技媒体を貯留する遊技機であって、
カップに貯留される遊技媒体を検知する検知センサと、この検知センサに検知された遊技媒体の増減に応じ、カップの一部を筐体の前後方向に伸縮させてその収容容積を増減する増減機構と、この増減機構を制御する制御装置とを含み、
検知センサは、カップの下部に設置される第一の検知センサと、カップの上部に取り付けられる第二の検知センサとを含み、
制御装置は、カップの一部の伸縮状態を判定する手段と、カップの一部が伸長していると判定された場合には、遊技媒体を第二の検知センサが検知せずに一定時間が経過したことを条件に増減機構を動作させ、カップの一部を縮小させる手段と、カップの一部が伸長していないと判定された場合には、遊技媒体を第二の検知センサが検知して一定時間が経過したことを条件に増減機構を動作させ、カップの一部を伸長させる手段とを含むことを特徴としている。
【０００８】
なお、カップは、筐体のドアに設けられる固定カップと、この固定カップの開口した前部にスライド可能に嵌められ、増減機構の動作に基づき筐体の前後方向にスライドする可動カップとを含み、この可動カップをカップの一部とすることができる。
また、第一、第二の検知センサのうち、少なくとも第二の検知センサを、発光部から受光部に照射される光線の変化により遊技媒体を検知する光電センサとすることができる。
【０００９】
さらに、増減機構は、筐体とドアの少なくともいずれか一方に設置される駆動源と、この駆動源の駆動に基づく歯車の回転により、筐体の前後方向に進退動する進退動体とを含み、この進退動体をカップの一部に連結することが好ましい。
【００１０】
ここで、特許請求の範囲における検知センサには、少なくとも圧力センサ、位置センサ、光電センサ、レベルセンサ等が含まれる。また、第一の検知センサはカップの底部や周壁の下部に適宜取り付けることができ、第二の検知センサはカップの周壁、すなわち前壁、後壁、側壁の上部に適宜取り付けることができる。光電センサは、可視光タイプ、ＬＥＤタイプ、赤外線タイプ、ガスレーザタイプ、半導体レーザタイプ等を特に問うものではない。また、伸縮という用語は、実質的に理解されなくてはならず、少なくとも拡幅（幅を広げる）や進退動等が含まれる。
【００１１】
増減機構としては、各種のクランク機構、ピニオンとラックを用いた機構、ウォームとラックを用いた機構、螺子棒やナットを用いた機構等があげられ、減速機構が適宜組み合わされる。駆動源には、各種のシリンダやモータが単数複数含まれる。また、歯車には、少なくとも単数複数の通常の歯車、ピニオン、ウォーム等が含まれる。進退動体には、少なくとも単数複数のプランジャやラックが含まれる。また、制御装置には、主制御装置と副制御装置のいずれもが含まれる。
【００１２】
遊技機は、スロットマシン（パチスロ）の場合には、３号機、４号機、ＣＴ機、７ライン機、Ａタイプ、Ｂタイプ、ＲＴタイプ、ＡＴタイプ、ＡＲタイプ等があるが、可変表示装置に表示した複数の識別情報をそれぞれ変動させた後に停止させ、この停止した複数の識別情報の組み合わせが予め定められた当選の組み合わせであるときには、通常遊技状態から遊技者に有利な特別遊技状態に移行する機器であれば、いずれのタイプでも良い。
【発明の効果】
【００１３】
本発明によれば、遊技媒体の貯留量に応じ、カップの収容容積を変更することができるので、遊技媒体をカップと遊技媒体用の収容箱との間で移し変える作業等の労力を軽減し、遊技性を向上させることができるという効果がある。
【００１４】
また、カップを、筐体のドアに設けられる固定カップと、この固定カップの開口した前部にスライド可能に嵌められ、増減機構の動作に基づき筐体の前後方向にスライドする可動カップとから構成すれば、固定カップから可動カップを遊技機筐体の前方向にスライドさせることにより、カップの収容容積を増大させることができる。また、可動カップを遊技機筐体の後方向にスライドさせ、元の位置に復帰させれば、カップの収容容積を減少させたり、遊技者の足元空間を広く確保することができる。
【００１５】
また、少なくとも第二の検知センサを、発光部から受光部に照射される光線の変化により遊技媒体を検知する光電センサとすれば、カップに貯留された複数の遊技媒体の上部を非接触で検出できるので、貯留された遊技媒体の上部を傷付けたり、悪影響を及ぼすことがなく、他のセンサに比べて検出距離を長くすることも可能になる。また、センサの小型化、軽量化、応答時間の迅速化を図ることができ、しかも、無音、小電力で検出することが可能になる。
【００１６】
さらに、増減機構を、筐体とドアの少なくともいずれか一方に設置される駆動源と、この駆動源の駆動に基づく歯車の回転により、筐体の前後方向に進退動する進退動体とから構成すれば、例えカップが遊技媒体を貯留して重い場合でも、カップの一部に強力な動力を滑りを招くことなく伝達することができる。
【発明を実施するための最良の形態】
【００１７】
以下、図面を参照して本発明の好ましい実施の形態を説明すると、本実施形態における遊技機は、図１ないし図１６に示すように、サンドと呼ばれる遊技用のコイン貸出機に隣接する縦長の筐体ユニット１と、この筐体ユニット１に着脱可能に収納されるメインユニット８０と、これら筐体ユニット１やメインユニット８０の抽選用のリール装置８７等に電力を供給する電源ユニット１２０と、この電源ユニット１２０からコネクタ等を介し電力を供給されて全体を制御する制御装置１４０とを備え、分離型のスロットマシンとして遊技店の一ブロックであるシマに設置される。
【００１８】
コイン貸出機は、例えば細長い縦長のボックスに構成され、正面の下部にコイン用の受皿が設置されており、正面の上部には貨幣投入口が形成される。このようなコイン貸出機は、左右一対の遊技機の間や各遊技機の横に並べて配置され、貨幣投入口に貨幣が投入されることにより、受皿に貨幣の金額に応じたコイン（メダルともいう）Ｃを供給するよう機能する。コインＣは、例えば直径２５ｍｍ、厚さ１．６ｍｍの大きさを有する円板に形成される。
【００１９】
筐体ユニット１は、図１ないし図４、図１１に示すように、正面の開口したフロントオープンボックスタイプの筐体２と、この筐体２の開口した正面の下半分を開閉するドア２３とを備え、筐体２内に、コインＣを払い出すホッパー装置１９とキャシュボックス２１とが左右に並べて設置される。
【００２０】
筐体２は、上下方向に間隔をおいて相対向する底板３と天井板４とを備え、これら横長の底板３と天井板４との後部間には、縦長で長方形の背面板５が垂直に架設されるとともに、底板３と天井板４との両側部間には、縦長で台形の側板６がそれぞれ垂直に架設されており、これら背面板５と左右一対の側板６とが相互に接続される。
【００２１】
筐体２の底板３は、天井板４よりも大きい平面視長方形の平板に形成され、筐体２の前後方向に伸びる平面略トラック４４形の長孔７が左右に並べて穿孔されており、各長孔７が平面視長方形の目隠し板８により上方から積層被覆される。天井板４の内面には、リール装置８７、電源ユニット１２０、及び制御装置１４０等のコネクタと接続するコネクタブラケットが装着される。
【００２２】
背面板５には、ホッパー装置１９にシマの補給パイプからコインＣを補給するための補給口９や通気用の複数の溝孔等が穿孔され、背面板５の下部内面の左側部寄りには、演出音、エラー音、効果音、報知音等を鳴り響かせる大型の背面スピーカ１０が装着される（図３、図４参照）。
【００２３】
一対の側板６の中央部間には、横長の開口を備えた仕切り棚板１１が水平に架設され、この仕切り棚板１１により筐体２の内部空間が上下に二分される。下半分の内部空間１２には、ホッパー装置１９、キャシュボックス２１、及び電源ユニット１２０等が収納され、上半分の内部空間１２Ａには、メインユニット８０や制御装置１４０がまとめて収納される。
【００２４】
各側板６の中央部よりもやや上方には、運搬用の把持孔１３が水平に穿孔され、各側板６の上部内面には、メインユニット８０を着脱自在に保持するクリップ１４やカシメ等が装着される。また、左側の側板６には、ドア用のヒンジ機構１５や蛍光灯安定器１６等がそれぞれ装着され、右側の側板６には、ドア用の鍵受１７や複数の端子を備えた集中端子板１８がベース体を介しそれぞれ装着されており、この集中端子板１８には、メインユニット８０のリール装置８７や遊技店のホールコンピュータＨＣがハーネスやコネクタ等を介し接続される。
【００２５】
ホッパー装置１９は、ホッパーモータを内蔵した本体と、この本体上に搭載されて補給口９の下方に位置するホッパータンク２０とを備え、底板３の中央部に設置されており、ホッパーモータの駆動に基づき、ローターディスクが回転してホッパータンク２０内に貯留されたコインＣを遊技結果に応じてシュートを介し払い出すよう機能する。
【００２６】
キャシュボックス２１は、上面の開口した縦長のトップオープンボックスに形成され、底板３の右側部に設置されて筐体２の側板６とホッパー装置１９との間に介在配置されており、ホッパー装置１９のホッパータンク２０からオーバーしたコインＣや遊技者により投入されたコインＣを回収するよう機能する。
【００２７】
ドア２３は、図１、図２、図５に示すように、正面視横長の長方形に形成され、側板６のヒンジ機構１５にヒンジ機構１５を介し回転可能に支持される。このドア２３は、その裏面にホッパー装置１９の前方に位置する貫通口付きのシューターカバー２４が装着され、下部中央には正面視正方形の払出口２５が穿孔されるとともに、略中央部には横長の下部リフレクター５０が正面側から積層されており、上部にはコイン投入口５７と操作ユニット６３とが左右に並べて設置される。
【００２８】
ドア２３の下部には図１、図２、図６、図７に示すように、ホッパー装置１９から払出口２５を介し払い出されたコインＣを貯留する横長のコインカップ２６、このコインカップ２６に貯留されたコインＣの貯留量を検知する検知センサ３１、及び検知センサ３１に検知されたコインＣの増減に応じ、コインカップ２６の一部を筐体２の前後方向に伸縮させてコインカップ２６の収容容積を変更する増減機構４０が設置される。
【００２９】
コインカップ２６は、図７に示すように、ドア２３の正面下部に装着される横長の固定カップ２７と、この固定カップ２７の開口した前部にスライド可能に嵌合され、増減機構４０の動作に基づき筐体２の前後方向にスライドする横長の可動カップ２９とを備えたトップオープンボックスに形成され、可動カップ２９がコインカップ２６の一部として機能する。
【００３０】
固定カップ２７は、正面の開口した断面略Ｌ字形に形成され、背面壁の中央部上方には、払出口２５からのコインＣを下方に導く滑走路２８が傾斜して形成される。また、可動カップ２９は、背面の開口した平面略Ｕ字形に形成され、底部と左右の側壁には凹溝３０がそれぞれ形成されており、各凹溝３０と固定カップ２７の底部・両側壁とがスライド可能に嵌合される。
【００３１】
検知センサ３１は、コインカップ２６の両側壁の下部に設置されて下方のコインＣの有無を検知する下部センサ３２と、コインカップ２６の両側壁の上部に設置されて上方のコインＣの有無、換言すれば、堆積したコインＣの山の上部を検知する上部センサ３３とを備え、コインＣの有無を検知してその検知した信号を制御装置１４０に出力するよう機能する。
【００３２】
これら下部センサ３２と上部センサ３３とは、コインカップ２６の一側壁の内面に装着される発光部３４と、コインカップ２６の他側壁の内面に装着されて対向する発光部３４から照射される赤外線Ｉを受光する受光部３５とを備えた光電センサとされ、コインＣに赤外線Ｉが遮蔽され、この赤外線Ｉの受光数が減少することにより、コインＣの貯留量を検知する。
【００３３】
増減機構４０は、図７に示すように、ドア２３の裏面下部に設置される左右一対のモータ４１と、各モータ４１の駆動軸の歯車４２に噛合するピニオン等の減速歯車４３と、各減速歯車４３と噛合して筐体２の前後方向にスライドするラック４４とから構成され、制御装置１４０の制御下でコインＣの貯留量が多い場合には、可動カップ２９を基準位置から突出位置に突出させ、コインＣの貯留量が少ない場合には、可動カップ２９を突出位置から元の基準位置に復帰させ、遊技者の足元空間におけるコインカップ２６の占有領域を低減する。
【００３４】
各モータ４１は、例えばサーボモータ、ステッピングモータ、ＤＣモータ等からなり、ドア２３の裏面下部に収納ケースを介し強固に設置される。また、各ラック４４は、ドア２３の裏面下部にガイドを介して水平に保持され、先端部がドア２３を貫通して可動カップ２９の底面に連結される。
【００３５】
下部リフレクター５０は、図５に示すように、正面の開口した断面略皿形に形成され、凹んだ内部には、光度安定用の蛍光灯安定器１６に接続される照明用の下部蛍光灯５１が着脱自在に水平に装着される。この下部リフレクター５０の正面には、横長の下部パネル枠５２が遊技機の前後方向に起伏可能に支持され、この下部パネル枠５２内には、下部蛍光灯５１を覆う光透過性の下部パネル５３が上方から着脱自在にスライド嵌合されており、下部パネル枠５２の下部には、横長のコインカップレンズ５４が装着される。
【００３６】
下部パネル５３は、所定の合成樹脂を使用して横長の長方形に形成され、遊技機の名称を含む各種の意匠が施されており、正面の下部両側には図２や図５に示すように、不正改造の防止に資する証紙５５と許諾証５６とがそれぞれ貼着される。
【００３７】
コイン投入口５７は、ドア２３の上部の凹んだ右側に投入口カバー５８を介して装着され、遊技者により遊技の契機として投入されたコインＣをドア裏面のコインセレクタ５９に供給し、この真偽判別用のコインセレクタ５９から適正なコインＣのみが下方のキャシュボックス２１に落下する。不適正なコインＣは、払出口２５からコインカップ２６に払い出される。
【００３８】
投入口カバー５８には、コイン返却ボタン６０と鍵穴６１とが間隔をおき左右に並べて配設され、この鍵穴６１を貫通した鍵がドア２３の錠前機構６２に挿入され、かつ回転操作されることにより、縦長の錠前機構６２の係止爪が筐体２の鍵受１７に係止し、筐体２の開口した正面の下半分を覆うドア２３がロック、アンロックされる。錠前機構６２はドア２３の裏面右側部にドアセンサ６２Ａと共に装着され、ドアセンサ６２Ａはドア２３の開閉を検知する。
【００３９】
操作ユニット６３は、図５や図８に示すように、ドア２３の上部の左側から略中央部にかけて螺着される操作プレート６４を備え、この操作プレート６４に、１ＢＥＴボタン６５、ＭＡＸＢＥＴボタン６６、スタートレバー装置６７、複数のストップボタン６９、及びキャンセルボタン７１が配設される。操作プレート６４は、断面略倒Ｌ字形、く字形、あるいは倒へ字形等に屈曲して横長に形成され、下方に伸びる正面壁が下部パネル５３の直上に配置される。
【００４０】
１ＢＥＴボタン６５は、操作プレート６４の上部左側に設置され、クレジットがある場合に一度押圧操作されることにより、１枚のコインＣをゲームに掛けることができるよう機能する。
なお、遊技機は、遊技者のコイン投入の手間を省くことができるよう、コインカップ２６に払い出されるコインＣを最高５０枚までクレジットとして使用できるよう構成されるのが一般的である。
【００４１】
ＭＡＸＢＥＴボタン６６は、１ＢＥＴボタン６５の右方向近傍に設置され、クレジットがある場合に一度押圧操作されることにより、最高３枚のコインＣをゲームに掛けることができるよう機能する。
スタートレバー装置６７は、操作プレート６４の正面壁左側部に装着され、コイン投入口５７にコインＣが投入された後にレバー軸６８が押し下げられる（叩くともいう）ことにより、リール装置８７を構成する複数（本実施形態では３本）のリール９１の回転契機となるよう機能する。
【００４２】
複数のストップボタン６９は、操作プレート６４の正面壁中央部にボタンプレート７０を介し横一列に並設されてリール装置８７のリール数に対応し、各ストップボタン６９が押圧操作されることにより、対応するリール９１の回転を停止させるよう機能する。
なお、コインＣの投入から複数のリール９１の停止までを１ゲームというのが一般的である。
また、キャンセルボタン７１は、スタートレバー装置６７の近傍に設置され、押圧操作されることにより、ゲームをキャンセルしてコインＣを払い出す清算機能を発揮する。
【００４３】
メインユニット８０は、図９ないし図１２に示すように、筐体２の仕切り棚板１１上に着脱自在に搭載されるフロントオープンボックスタイプのメインフレーム体８１と、このメインフレーム体８１内に開口した正面側から収納されるリール装置８７と、メインフレーム体８１の正面を開閉するキャビネット９８と、このキャビネット９８に装着されてリール装置８７に隣接する液晶ユニット１１６とを備えて構成される。
【００４４】
メインフレーム体８１は、筐体２の仕切り棚板１１上に着脱自在に搭載されるベース板８２に、正面の開口したメインフレーム８３が載置されることにより構成される。ベース板８２は、矩形の横長に形成され、複数の孔や溝が形成される。また、メインフレーム８３は、その正面の両側部間にリールフレーム８４と不正防止板８５とが間隔をおいて上下に並べて架設される。このメインフレーム８３の正面の左側部には、キャビネット９８用のヒンジ機構１５が縦長に装着され、メインフレーム８３の正面の右側部には、キャビネット９８用の鍵受１７が縦長に装着される。
【００４５】
リール装置８７は、メインフレーム体８１のベース板８２上に螺着される断面略Ｃ字形のリールボックス８８と、このリールボックス８８の内底左右方向に間隔をおいて立設される複数のモータプレート８９と、各モータプレート８９に装着支持され、回転角の制御に便利なステッピングモータ等からなるモータ９０とを備え、各モータ９０の横方向に指向する駆動軸にはリール９１が嵌着される。
【００４６】
各モータプレート８９には、リール９１のバックライトとして点灯・消灯するバックライト基板が装着される。リール９１は、モータ９０の駆動軸に嵌着されるドラム９２を備え、このドラム９２には、合成樹脂製のリールテープ９３が嵌合されており、このエンドレスのリールテープ９３の表面には、識別情報である抽選用の図柄９４が複数（例えば２１個）周方向に間隔をおいて描かれる。
【００４７】
抽選用の図柄９４は小当たりの役を示す普通図柄９５と、大当たりの役を示す特別図柄９６と、成立したゲームと同じ投入枚数のゲームを無料で行なえる役を示す再遊技図柄９７とに分類され、特別図柄９６はさらに通常図柄９６Ａと特定図柄９６Ｂとに分類される（図３参照）。
【００４８】
普通図柄９５としては、「スイカ」、「チェリー」、「ベル」等を模した図柄があげられる。特別図柄９６の通常図柄９６Ａとしては、レギュラーボーナスと呼ばれる「ＢＡＲ」があげられ、特別図柄９６の特定図柄９６Ｂとしては、ビッグボーナスと呼ばれる「７」があげられる。また、再遊技図柄９７としては、「Ｒｅｐｌａｙ」や「ＲＰ」があげられる。
【００４９】
このようなリール装置８７は、コイン投入後の停止時に複数の図柄９４を３×３のマトリクスに表示して入賞ラインを横３本・斜め２本の合計５本設定し、モータ９０の駆動時には複数のリール９１が共に回転したり、個別に回転し、図柄９４を用いて当たり外れを抽選し、大当たりの場合には、通常の遊技状態から遊技者に有利な特別遊技状態に移行させるよう機能する。例えば、抽選の結果、「スイカ」「ＢＡＲ」「７」のように複数の図柄９４の組み合わせが横方向あるいは斜め方向に全て揃ったが、予め定められた同種の図柄９４の組み合わせでない場合には、外れとなる。
【００５０】
これに対し、「スイカ」「スイカ」「スイカ」のように複数の図柄９４の組み合わせが横方向あるいは斜め方向に全て揃い、予め定められた普通図柄９５の組み合わせとなる場合には、小当たりの役に当選してコインカップ２６に１〜１５枚のコインＣがホッパー装置１９から払い出される。
【００５１】
また、「ＢＡＲ」「ＢＡＲ」「ＢＡＲ」のように選択された複数の図柄９４の組み合わせが横方向あるいは斜め方向に全て揃い、予め定められた通常図柄９６Ａの組み合わせとなる場合には、大当たりの役のレギュラーボーナスに当選して高確率で払い出しのあるゲームが所定回数（例えば１２回）可能になる。さらに、「７」「７」「７」のように選択された複数の図柄９４の組み合わせが全て揃い、予め定められた特定図柄９６Ｂの組み合わせとなる場合には、大当たりの役のビッグボーナスに当選し、小当たりとレギュラーボーナスが高確率で当選するゲームが所定回数（例えば３０回）可能になる。
【００５２】
キャビネット９８は、図９等に示すように、正面視横長の矩形に形成され、リール装置８７や液晶ユニット１１６視認用の開口９９が横長に形成されており、メインフレーム体８１のヒンジ機構１５にヒンジ機構１５を介して回転可能に支持される。このキャビネット９８の裏面における開口９９の下部周縁には、横長の中部基板１００が同じく横長の中部不正防止板１０１を介し裏面側から装着され、この中部基板１００の表面には、ランプを含む複数の表示器１０２・１０２Ａ・１０２Ｂが横一列に配列される。
【００５３】
キャビネット９８の裏面における開口９９の上方には、照明用の上部蛍光灯１０３が横長の上部リフレクター１０４やコネクタ等を介し裏面側から着脱自在に水平に装着され、この上部蛍光灯１０３の上方には、リール装置８７に接続されたサブ中継基板１０５とランプ付きのアーチランプ基板１０６とが上下に並べて装着されており、サブ中継基板１０５の制御下でアーチランプ基板１０６のＬＥＤやランプが点灯、点滅して遊技者の射幸心を適度に煽るよう機能する。
【００５４】
キャビネット９８の裏面における上部両側の取付孔には、サブ中継基板１０５の制御下で演出音、エラー音、効果音、報知音を響かせる上部スピーカ１０７が正面略矩形のグリル１０８を介し裏面側からそれぞれ嵌着される。また、キャビネット９８の裏面右側部には、縦長の錠前機構６２が設置され、この錠前機構６２がメインフレーム８３の鍵受１７に係止されることにより、メインフレーム体８１の正面がキャビネット９８に覆われる。
【００５５】
キャビネット９８の表面には、開口９９、中部基板１００、上部蛍光灯１０３、及び液晶ユニット１１６等を覆う光透過性の上部パネル１０９が重ねて装着され、この上部パネル１０９の表面周囲には、装飾された上部パネル枠１１０が重ねて装着される。上部パネル１０９は、各種の意匠が施され、下部中央には、複数の表示窓１１１・１１１Ａ・１１１Ｂが横一列に形成されており、この複数の表示窓１１１・１１１Ａ・１１１Ｂから中部基板１００の表示器１０２・１０２Ａ・１０２Ｂがそれぞれ露出して各種の表示機能を発揮する（図２参照）。
【００５６】
例えば、左側部の表示器１０２はコインＣの払い出し枚数（例えば、一度に最高１５枚払い出される）や各種のエラー（例えば、払い出されるコインＣの詰まりや制御装置１４０のＣＰＵエラー等）を表示窓１１１に表示し、中央部の表示器１０２Ａは現時点における抽選の当選確率の設定値や選択された当選確率の設定値を表示窓１１１Ａに点滅表示する。また、右側部の表示器１０２Ｂは、コインＣのクレジット数を表示窓１１１Ｂに表示する。
【００５７】
キャビネット９８の表面における上部中央には、中部基板１００の露出したランプを覆う上部ランプレンズ１１２が装飾して装着され、キャビネット９８の表面における上部両側には、露出した上部スピーカ１０７を覆うスピーカレンズ１１３がそれぞれ装飾して装着されており、これら上部ランプレンズ１１２とスピーカレンズ１１３との間の下方には、サブ中継基板１０５に制御される湾曲したアーチ基板１１４が装着されるとともに、このＬＥＤ付きのアーチ基板１１４には、略円弧形に湾曲して装飾されたＬＥＤレンズ１１５が重ねて被覆される。
【００５８】
液晶ユニット１１６は、縦長に形成され、キャビネット９８の開口右側部に嵌着して上部パネル１０９に被覆されており、サブ中継基板１０５に接続されて遊技時にナビゲーション機能、演出を動画で表現する機能、ボーナス入賞回数等を表示する機能等を発揮する。
【００５９】
電源ユニット１２０は、図１３や図１４に示すように、背面スピーカ１０、蛍光灯安定器１６、ホッパー装置１９、増減機構４０、下部蛍光灯５１、コインセレクタ５９、操作ユニット６３、リール装置８７、液晶ユニット１１６等の要通電部分に電力を供給する電源装置１２１と、抽選の当選確率を含む初期設定等を変更する設定装置１２６とを備え、筐体２の仕切り棚板１１の下面に下方から装着されてホッパー装置１９の上方に位置し、遊技店のコンセントに接続されるとともに、外部のアースにアース線を介して接続される。
【００６０】
電源装置１２１は、正面のメインスイッチ１２２がＯＮ／ＯＦＦされることにより主電源をＯＮ／ＯＦＦする機能と、正面のヒューズ１２３により過電流から回路を保護する機能と、正面のＡＣランプ１２４の点灯によりＡＣ１００Ｖが接続されていることを示す機能と、正面のパワーランプ１２５の点灯により制御装置１４０の電源が正常であることを示す機能等を有する。
【００６１】
設定装置１２６は、専用のキー１２７を用いた正面の設定キースイッチ１２８の回転操作により抽選の当選確率を含む設定を変更したり、確定させる機能と、正面の設定変更スイッチ１２９の操作により設定を変更したり、エラーが発生した場合にエラーを解除する機能と、正面の打ち止め切り替えスイッチ１３０の操作により大当たり終了時に自動的に打ち止めを解除して遊技を継続させたり、大当たり終了時にクレジット内のコインＣを全て払い出す機能等を有する。
【００６２】
なお、当選確率を含む設定を変更する場合には、先ず、遊技機のドア２３を開けて電源ユニット１２０の設定キースイッチ１２８をＯＮにし、メインスイッチ１２２をＯＮにして制御装置１４０をクリアし、電源ユニット１２０の設定変更スイッチ１２９を操作して１〜６段階の確率を選択する。１〜６段階の確率を選択したら、リール９１を回転させるスタートレバー装置６７のレバー軸６８を押し下げて選択した確率を確定させ、その後、電源ユニット１２０の設定キースイッチ１２８をＯＦＦにして制御装置１４０をクリアすれば、設定を変更することができる。
【００６３】
制御装置１４０は、図１５に示すように、リール装置８７や中部基板１００に接続されたメイン基板と呼ばれる主制御装置１４１と、この主制御装置１４１からの制御信号を受信してその制御下で作動するサブ基板と呼ばれる副制御装置１４３とを備えて構成される。
【００６４】
主制御装置１４１は、図１１に示すように、プリント基板からなる回路基板に演算処理機能を有するＣＰＵ、ＲＯＭ、ＲＡＭ、ＬＥＤ、その他の電子部品が実装され、不正改造防止用の透明の樹脂ケース１４２に強固に収納封止されており、この樹脂ケース１４２がメインフレーム８３の背面両側部間にベースを介し水平に架設されて正面視でリール装置８７の上方に位置する。
【００６５】
このような主制御装置１４１は、ＣＰＵがＲＡＭを作業領域としてＲＯＭに記憶された所定のプログラムを読み込むことにより、コンピュータとして所定の手段を実現し、コインセレクタ５９、スタートレバー装置６７を含む操作ユニット６３、リール装置８７、中部基板１００、電源ユニット１２０等の動作を制御するよう機能する。
【００６６】
所定の手段としては、例えばスタートレバー装置６７の操作に基づき、予め定められた抽選の確率により当選か否かを抽選する当選抽選手段、ホッパー装置１９やリール装置８７を制御する遊技制御手段等があげられる。当選抽選手段には、抽選用の乱数発生機能、乱数抽出機能、当選判定テーブル機能、判定テーブル機能等が含まれ、遊技制御手段には、通常遊技機能や特別遊技機能等が含まれる。
【００６７】
副制御装置１４３は、プリント基板からなる回路基板に演算処理機能を有するＣＰＵ、ＲＯＭ、ＲＡＭ、サウンドボリューム、リセットスイッチ、点検用のモニタＬＥＤ、その他の電子部品が実装され、メインフレーム体８１の内部右側に立てた状態で収納封止されてリール装置８７に隣接する（図１１参照）。このような副制御装置１４３は、ＣＰＵがＲＡＭを作業領域としてＲＯＭに記憶された所定のプログラムを読み込むことにより、コンピュータとして所定の機能を実現し、背面スピーカ１０、増減機構４０、サブ中継基板１０５、上部スピーカ１０７等の動作を制御する。
【００６８】
所定の機能としては、例えば現時点における可動カップ２９の伸縮状態を判定する機能と、可動カップ２９が伸長していると判定された場合には、下部センサ３２の検知にかかわらず、コインＣを上部センサ３３が検知せず、一定時間（例えば、５秒〜１分、好ましくは５秒〜３０秒）が経過したことを条件に増減機構４０を動作させ、可動カップ２９を縮小させる機能と、可動カップ２９が伸長していないと判定された場合には、下部センサ３２の検知にかかわらず、コインＣを上部センサ３３が検知し、一定時間が経過したことを条件に増減機構４０を動作させ、可動カップ２９を伸長させる機能とがあげられる（図１６参照）。
【００６９】
上記において、スロットマシンと呼ばれる遊技機で遊技する場合には、先ず、コイン投入口５７に借りて来たコインＣを好ましくは３枚投入してスタートレバー装置６７のレバー軸６８を押し下げ、上部パネル１０９に複数の図柄９４を３×３のマトリクスに表示した複数のリール９１をそれぞれ回転させる。
【００７０】
この際、コインＣを３枚以上投入すると、表示器１０２Ａがクレジットの増加を表示し、５０枚以上になると、コインカップ２６内にコインＣが払い出される。クレジットがある場合、ＭＡＸＢＥＴボタン６６を押圧操作すれば、コインＣを投入しなくても３枚掛けることができ、便利である。また、スタートレバー装置６７のレバー軸６８が押し下げられると、制御装置１４０の主制御装置１４１に信号が出力され、この主制御装置１４１の当選抽選手段が当たり外れを抽選するとともに、リール装置８７を駆動させる。
【００７１】
次いで、複数のストップボタン６９を順次押圧操作して複数のリール９１を全て停止させると、上記抽選の結果が当たりの場合には、「７」「７」「７」のように複数の図柄９４が一直線に揃い、予め定められた特定図柄９６Ｂの組み合わせとなる。したがって、この場合には、ビッグボーナスに当選し、小当たりとレギュラーボーナスが高確率で当選するゲームを所定回数楽しむことができるとともに、コインＣが図柄９４に応じた枚数分（例えば２２０〜６３０枚）コインカップ２６に払い出される。以下、上記ゲームが繰り返される。
【００７２】
さて、遊技の際、コインカップ２６を構成する可動カップ２９の現在の伸縮状態が副制御装置１４３により判定（図１６のＳ１、Ｓ２）され、可動カップ２９が伸長していないと判定された場合には、下部センサ３２によりコインＣの有無が判定（Ｓ３）され、コインカップ２６にコインＣが貯留していると判定された場合には、上部センサ３３によりコインＣの有無が判定される（Ｓ４）。
【００７３】
上部センサ３３によりコインカップ２６にコインＣが貯留していると判定された場合、換言すれば、多数のコインＣが山状に堆積して貯留されている場合には、一定時間が経過したか否かが判定（Ｓ５）され、一定時間が経過している場合には、増減機構４０が動作して可動カップ２９を伸長させる（Ｓ６）。
【００７４】
増減機構４０は、各モータ４１が正転駆動して歯車４２を回転させ、この歯車４２が減速歯車４３を回転させてラック４４を前方に進出させるとともに、可動カップ２９が固定カップ２７から離れるよう前方にスライドしてコインカップ２６の収容容積を増大させ、この増大により、コインカップ２６にコインＣをさらに多数貯留することが可能になる。
【００７５】
これに対し、下部センサ３２や上部センサ３３により、コインカップ２６にコインＣが貯留していないと判定された場合、あるいは一定時間が経過していない場合には、コインカップ２６の現在の状態がそのまま維持される（Ｓ７、Ｓ８）。
【００７６】
一方、可動カップ２９が伸長していると判定された場合（Ｓ９）には、下部センサ３２によりコインＣの有無が判定され、コインカップ２６にコインＣが貯留していると判定された場合には、上部センサ３３によりコインＣの有無が判定（Ｓ１０）され、コインカップ２６にコインＣが貯留している場合には、可動カップ２９の伸長状態がそのまま維持される（Ｓ１１）。
【００７７】
これに対し、下部センサ３２や上部センサ３３により、コインカップ２６にコインＣが貯留していないと判定された場合には、一定時間が経過したか否かが判定（Ｓ１２）され、一定時間が経過している場合には、増減機構４０が動作して可動カップ２９を縮小させる（Ｓ１３）とともに、一定時間が経過していない場合には、可動カップ２９の伸長状態がそのまま継続される（Ｓ１４）。
【００７８】
増減機構４０は、各モータ４１が逆転駆動して歯車４２を回転させ、この歯車４２が減速歯車４３を回転させてラック４４を後退させ、可動カップ２９が固定カップ２７に向けスライドしてコインカップ２６の収容容積を縮小させ、この縮小により、コインカップ２６の占有面積や占有領域が減少して遊技者の足元空間が広くなる。
【００７９】
上記構成によれば、一定の大きさのコインカップ２６を設置するのではなく、大きさや容積が可変のコインカップ２６を設置するので、溢れたコインＣをコインカップ２６からドル箱に移し変える作業、あるいはコインＣをドル箱からコインカップ２６に移し変える作業回数を減少させることができる。したがって、遊技者は、作業に煩わされることにより、遊技に興じることができないという問題をきわめて有効に解消することができる。
【００８０】
また、払い出されたコインＣの量の増減に応じ、コインカップ２６が貯留に適した大きさに変更されるので、コインＣの貯留量が少ないにもかかわらず、コインカップ２６が必要以上に前方に張り出して遊技者の足元が狭くなることが少なくなる。したがって、遊技者が心理的な圧迫を受け、遊技に集中することができないおそれを有効に排除することができる。
【００８１】
また、コインカップ２６一杯に貯留されたコインＣを移し替える際、遊技者は大きな自己陶酔に浸ることが可能になる。また、赤外線タイプの光電センサを使用するので、クリーン化や省エネルギー化を図ることが可能になる。さらに、ベルト車や摩擦車を利用するのではなく、噛合する歯車４２、減速歯車４３、ラック４４を用いて可動カップ２９に動力を伝達するので、大きな動力の確実な伝達が期待できる。
【００８２】
なお、上記実施形態ではコインカップ２６を単に示したが、何らこれに限定されるものではない。例えば、コインカップ２６の左側壁に灰皿２８を着脱自在に装着しても良い。また、上記実施形態では１ＢＥＴボタン６５を設置したが、何らこれに限定されるものではない。例えば１ＢＥＴボタン６５を省略することもできるし、２ＢＥＴボタンを設置しても良い。また、スタートレバー装置６７のレバー軸６８を上下方向に揺動させても良いが、左右方向や斜め方向に揺動させても良い。
【００８３】
また、リール装置８７の役として、シングルボーナス、集中役、チャレンジタイム等を設けることが可能である。また、リール装置８７のリールの制御に関しては、コントロール方式、テーブル方式、複合型等があるが、いずれをも採用することが可能である。また、告知ランプを設けて抽選に当選したことを報知することも可能である。さらに、縦長ではなく、横長の液晶ユニット１１６を設置することも可能である。
【図面の簡単な説明】
【００８４】
【図１】本発明に係る遊技機の実施形態におけるメインユニットを取り外した状態を示す全体斜視説明図である。
【図２】本発明に係る遊技機の実施形態を示す正面説明図である。
【図３】本発明に係る遊技機の実施形態におけるドアを開放した状態を示す正面説明図である。
【図４】本発明に係る遊技機の実施形態における筐体ユニットを示す分解斜視説明図である。
【図５】本発明に係る遊技機の実施形態におけるドアを表面側から示す分解斜視説明図である。
【図６】本発明に係る遊技機の実施形態におけるコインカップの伸縮状態を模式的に示す説明図である。
【図７】本発明に係る遊技機の実施形態におけるコインカップと増減機構とを模式的に示す断面説明図である。
【図８】本発明に係る遊技機の実施形態における操作ユニットを示す分解斜視図である。
【図９】本発明に係る遊技機の実施形態におけるキャビネットを裏面側から示す分解斜視説明図である。
【図１０】本発明に係る遊技機の実施形態におけるキャビネットを表面側から示す分解斜視説明図である。
【図１１】本発明に係る遊技機の実施形態におけるメインユニット等を示す分解斜視説明図である。
【図１２】本発明に係る遊技機の実施形態におけるリール装置を示す分解斜視説明図である。
【図１３】本発明に係る遊技機の実施形態における電源ユニットを示す斜視説明図である。
【図１４】本発明に係る遊技機の実施形態における電源ユニットの構成を示す説明図である。
【図１５】本発明に係る遊技機の実施形態を示す回路構成図である。
【図１６】本発明に係る遊技機の実施形態における副制御装置の制御手順を示すフローチャートである。
【符号の説明】
【００８５】
１          筐体ユニット
２          筐体
２３        ドア
２６        コインカップ（カップ）
２７        固定カップ
２９        可動カップ（カップの一部）
３０        凹溝
３１        検知センサ（光電センサ）
３２        下部センサ（第一の検知センサ）
３３        上部センサ（第二の検知センサ）
３４        発光部
３５        受光部
４０        増減機構
４１        モータ（駆動源）
４２        歯車
４３        減速歯車（歯車）
４４        ラック（進退動体）
８０        メインユニット
８７        リール装置
１２０      電源ユニット
１４０      制御装置
１４１      主制御装置
１４３      副制御装置
Ｃ          コイン（遊技媒体）
Ｉ          赤外線（光線）
【図１】
2006345937.tif 000003
【図２】
2006345937.tif 000004
【図３】
2006345937.tif 000005
【図４】
2006345937.tif 000006
【図５】
2006345937.tif 000007
【図６】
2006345937.tif 000008
【図７】
2006345937.tif 000009
【図８】
2006345937.tif 000010
【図９】
2006345937.tif 000011
【図１０】
2006345937.tif 000012
【図１１】
2006345937.tif 000013
【図１２】
2006345937.tif 000014
【図１３】
2006345937.tif 000015
【図１４】
2006345937.tif 000016
【図１５】
2006345937.tif 000017
【図１６】
2006345937.tif 000018